(57)【特許請求の範囲】
【請求項１】
菌を減らす機能水を吐出する吐水装置であって、
装置本体と、
前記装置本体の下部に設けられ、前記機能水をミスト状にして下方に噴霧する吐水口を有する吐水ユニットと、
前記吐水ユニットの吐止水を制御するための使用者の操作を検出する検出器と、
を備え、
前記吐水ユニットは、中央部分よりも外側部分の方が粒子の密度が低くなるように、ミスト状の機能水を噴霧し、
前記装置本体は、前記吐水ユニットを前記装置本体の外側から着脱可能に保持することを特徴とする吐水装置。
【請求項２】
前記吐水口よりも上方に設けられ、使用者による操作が可能な操作部をさらに備え、
前記検出器は、前記操作部の操作を検出することを特徴とする請求項１記載の吐水装置。
【請求項３】
請求項１又は２に記載の吐水装置と、
水を吐出する水栓ユニットと、
前記吐水装置と前記水栓ユニットとを支持する支持部と、
を備えたことを特徴とする吐水システム。
【請求項４】
前記水栓ユニットは、前記吐水装置とは別体に前記支持部に支持され、
前記吐水装置は、前記水栓ユニットよりも前出寸法が小さいことを特徴とする請求項３記載の吐水システム。
【請求項５】
前記吐水装置の吐止水の操作は、前記水栓ユニットの吐止水の操作と異なることを特徴とする請求項３又は４に記載の吐水システム。
【請求項６】
前記吐水装置の前記吐水口よりも上流に設けられ、前記吐水口に供給される機能水を濾すフィルタをさらに備えたことを特徴とする請求項３〜５のいずれか１つに記載の吐水システム。
【請求項７】
前記吐水装置による機能水の吐止水を制御する制御部をさらに備え、
前記検出器は、前記制御部に接続され、
前記制御部は、前記検出器の検出に応じて前記吐水ユニットから機能水を吐出させるとともに、定期的に前記吐水ユニットから機能水を吐出させることを特徴とする請求項３〜６のいずれか１つに記載の吐水システム。
【発明の詳細な説明】
【技術分野】
【０００１】
本発明の態様は、一般的に、吐水装置及び吐水システムに関する。
【背景技術】
【０００２】
洗面化粧台やシステムキッチンなどにおいて、上水（水道水）を吐出する水栓ユニットとは別に、吐水装置を設け、菌を減らす機能水を吐水装置から吐出することが考えられている。例えば、水栓ユニットの使用後や所定時間の経過毎に、洗面器やシンクに向けて吐水装置から機能水を吐出する。これにより、例えば、排水口などにおける菌の繁殖を抑え、洗面器やシンクを清潔に保つことができる。
【０００３】
機能水は、必ずしも飲用に適するものではない。従って、水栓ユニットと吐水装置とを設ける場合には、水栓ユニットから吐出される水と、吐水装置から吐出される機能水と、を容易に識別できるようにする必要がある。
【０００４】
例えば、棒状又はシャワー状の通常吐水を行う水栓ユニットに対し、吐水装置には、機能水をミスト状に噴霧させる。これにより、水栓ユニットの通常の水と吐水装置の機能水とを使用者に容易に識別させることができる。また、機能水をミスト状に噴霧することにより、機能水を少ない流量で広範囲に散布することができ、機能性を向上させることもできる。
【０００５】
また、吐水装置では、使用者の操作に応じて機能水を吐出できるようにしたいという要望もある。この場合には、例えば、歯ブラシやコップなどに機能水を吐出することにより、これらにおける菌の繁殖を抑えることもでき、利便性を向上させることができる。
【０００６】
しかしながら、使用者の操作に応じて機能水をミスト状に噴霧すると、使用者の手などに機能水がかかり、使用者に不快感を与えてしまう恐れがある。
【０００７】
このため、吐水装置及びこの吐水装置を備えた吐水システムでは、機能水の吐出を容易に識別できるようにしつつ、使用者の操作に応じて機能水を吐出する場合にも、使用者の手などに機能水がかかってしまうことを抑制することが望まれる。
【先行技術文献】
【特許文献】
【０００８】
【特許文献１】特開平１０−２８７２１号公報
【発明の概要】
【発明が解決しようとする課題】
【０００９】
本発明は、かかる課題の認識に基づいてなされたものであり、機能水の吐出を容易に識別できるようにしつつ、使用者の操作に応じて機能水を吐出する場合にも、使用者の手などに機能水がかかってしまうことを抑制した吐水装置及び吐水システムを提供することを目的とする。
【課題を解決するための手段】
【００１０】
第１の発明は、菌を減らす機能水を吐出する吐水装置であって、装置本体と、前記装置本体の下部に設けられ、前記機能水をミスト状にして下方に噴霧する吐水口を有する吐水ユニットと、前記吐水ユニットの吐止水を制御するための使用者の操作を検出する検出器と、を備え、前記吐水ユニットは、中央部分よりも外側部分の方が粒子の密度が低くなるように、ミスト状の機能水を噴霧し、前記装置本体は、前記吐水ユニットを前記装置本体の外側から着脱可能に保持することを特徴とする吐水装置である。
【００１１】
この吐水装置によれば、棒状やシャワー状などの通常の吐水と異なるミスト状にして機能水を噴霧することにより、機能水の吐水であることを使用者に認識させることができる。例えば、通常吐水に比べて、より広い範囲に機能水を散布することもできる。さらに、中央部分よりも外側部分の方が粒子の密度が低くなるように、ミスト状の機能水を噴霧することにより、使用者の手などに機能水がかかってしまうことを抑制することができる。例えば、あまり濡れないうちに手を引っ込めることが可能になる。従って、機能水の吐出を容易に識別できるようにしつつ、使用者の操作に応じて機能水を吐出する場合にも、使用者の手などに機能水がかかってしまうことを抑制することができる。また、この吐水装置によれば、施工後においても、吐水ユニットを容易に着脱することができる。例えば、吐水ユニットの交換を容易に行うことができる。例えば、吐水ユニットを取り外して洗浄を行うことができる。従って、吐水装置のメンテナンス性を向上させることができる。吐水装置にゴミや水垢などが付着してしまうと、本来想定していた吐水が乱れて、本発明の効果を奏さなくなる恐れがあるが、吐水ユニットを装置本体の外側から着脱可能に保持することによって、これを抑制することができる。
【００１２】
第２の発明は、第１の発明において、前記吐水口よりも上方に設けられ、使用者による操作が可能な操作部をさらに備え、前記検出器は、前記操作部の操作を検出することを特徴とする吐水装置である。
【００１３】
この吐水装置によれば、操作部を操作する際に、操作する手などに機能水がかかってしまうことを抑制することができる。
【００１６】
第３の発明は、第１又は第２の発明の吐水装置と、水を吐出する水栓ユニットと、前記吐水装置と前記水栓ユニットとを支持する支持部と、を備えたことを特徴とする吐水システムである。
【００１７】
この吐水システムによれば、棒状やシャワー状などの通常の吐水と異なるミスト状にして機能水を噴霧することにより、機能水の吐水であることを使用者に認識させることができる。例えば、通常吐水に比べて、より広い範囲に機能水を散布することもできる。さらに、中央部分よりも外側部分の方が粒子の密度が低くなるように、ミスト状の機能水を噴霧することにより、使用者の手などに機能水がかかってしまうことを抑制することができる。例えば、あまり濡れないうちに手を引っ込めることが可能になる。従って、機能水の吐出を容易に識別できるようにしつつ、使用者の操作に応じて機能水を吐出する場合にも、使用者の手などに機能水がかかってしまうことを抑制することができる。
【００１８】
第４の発明は、第３の発明において、前記水栓ユニットは、前記吐水装置とは別体に前記支持部に支持され、前記吐水装置は、前記水栓ユニットよりも前出寸法が小さいことを特徴とする吐水システムである。
【００１９】
この吐水システムによれば、水栓ユニットと吐水装置とをより識別し易くさせることができる。吐水装置を水栓ユニットよりも前出寸法が小さくすることにより、例えば、機能水が吐出されることを認識していない不慣れな使用者が、誤って吐水装置を操作し、手にかかってしまったり、機能水を飲んでしまったりすることなどを抑制することができる。
【００２０】
第５の発明は、第３又は第４の発明において、前記吐水装置の吐止水の操作は、前記水栓ユニットの吐止水の操作と異なることを特徴とする吐水システムである。
【００２１】
この吐水システムによれば、例えば、不慣れな使用者が吐水装置を使用してしまうことを抑制することができる。例えば、不慣れな使用者に対し、水栓ユニット側の使用を促し、手にかかってしまうことや機能水の誤飲をより抑制することができる。
【００２２】
第６の発明は、第３〜第５の発明のいずれか１つにおいて、前記吐水装置の前記吐水口よりも上流に設けられ、前記吐水口に供給される機能水を濾すフィルタをさらに備えたことを特徴とする吐水システムである。
【００２３】
この吐水システムによれば、吐水口の目詰まりを抑制することができる。例えば、吐水口にゴミなどが詰まって吐水形態が乱れ、使用者の手にかかってしまうことや服などを濡らしてしまうことを抑制することができる。
【００２４】
第７の発明は、第３〜第６の発明のいずれか１つにおいて、前記吐水装置による機能水の吐止水を制御する制御部をさらに備え、前記検出器は、前記制御部に接続され、前記制御部は、前記検出器の検出に応じて前記吐水ユニットから機能水を吐出させるとともに、定期的に前記吐水ユニットから機能水を吐出させることを特徴とする吐水システムである。
【００２５】
この吐水システムによれば、例えば、定期的に吐水を行うことで、スケールなどが乾燥して吐水口に固着することを抑制することができる。例えば、小さなゴミなどを吐水の力で押し流すことができる。吐水口の目詰まりをより抑制することができる。これにより、本来の吐水を長期間に亘って維持でき、使用者の手に機能水がかかってしまうことを抑制することが可能となる。
【発明の効果】
【００２６】
本発明の態様によれば、機能水の吐出を容易に識別できるようにしつつ、使用者の操作に応じて機能水を吐出する場合にも、使用者の手などに機能水がかかってしまうことを抑制した吐水装置及び吐水システムを提供することができる。
【図面の簡単な説明】
【００２７】
【図１】図１（ａ）及び図１（ｂ）は、第１の実施形態に係る洗面化粧台を表す斜視図及び正面図である。
【図２】図２（ａ）〜図２（ｄ）は、第１の実施形態に係る吐水装置を表す正面図、側面図、底面図、及び斜視図である。
【図３】第１の実施形態に係る吐水装置を表す分解斜視図である。
【図４】第１の実施形態に係る吐水装置を表す断面図である。
【図５】第１の実施形態に係る吐水装置の一部を表す部分断面図である。
【図６】第１の実施形態に係る吐水ユニットを表す断面図である。
【図７】第１の実施形態に係る給水装置を表すブロック図である。
【図８】第２の実施形態に係るシステムキッチンを表す斜視図である。
【図９】第２の実施形態に係るシステムキッチンを表す上面図である。
【図１０】図１０（ａ）及び図１０（ｂ）は、第２の実施形態に係る吐水装置を表す斜視図及び底面図である。
【図１１】第２の実施形態に係る吐水装置の一部を表す部分断面図である。
【発明を実施するための形態】
【００２８】
以下、本発明の実施の形態について図面を参照しつつ説明する。なお、各図面中、同様の構成要素には同一の符号を付して詳細な説明は適宜省略する。  
（第１の実施形態）  
図１（ａ）及び図１（ｂ）は、第１の実施形態に係る洗面化粧台を表す斜視図及び正面図である。  
図１（ａ）及び図１（ｂ）に表したように、洗面化粧台２は、吐水システム１０と、洗面器２０と、支持台３０と、を備える。
【００２９】
洗面器２０は、洗面ボウル２２と、排水口２４と、オーバーフロー排水具２６と、を有する。洗面ボウル２２は、下方に向かって凹んだ凹状に形成されている。排水口２４は、洗面ボウル２２の底部に設けられる。排水口２４は、図示を省略した排水管に接続され、洗面ボウル２２に吐出された水を排水管に流す。
【００３０】
オーバーフロー排水具２６は、洗面ボウル２２内に設けられる。オーバーフロー排水具２６は、図示を省略したオーバーフロー経路を介して排水管に接続される。例えば、ゴム栓などで排水口２４を塞いで洗面ボウル２２内に水を溜めた場合に、オーバーフロー排水具２６の高さに達した水は、オーバーフロー排水具２６を介して排水管に排水される。これにより、オーバーフロー排水具２６は、洗面ボウル２２から水が溢れてしまうことを抑制する。
【００３１】
洗面器２０は、支持台３０の上に設けられる。支持台３０は、洗面器２０を支持する。支持台３０は、例えば、本体部３１と、一対の扉３２、３３と、を有する。本体部３１は、例えば、前方及び上方を開口させた略直方体の開口箱状である。本体部３１の上方の開口は、洗面器２０によって塞がれる。洗面ボウル２２の少なくとも一部は、本体部３１の上方の開口から本体部３１内に入り込む。各扉３２、３３は、本体部３１の前方の開口を開閉可能に塞ぐ。これにより、支持台３０は、物品を収納可能なキャビネットとしても機能する。支持台３０は、換言すれば、下部キャビネットである。支持台３０は、収納機能を有していなくてもよい。支持台３０は、洗面器２０を支持可能な任意の構成でよい。また、洗面器２０は、例えば、洗面所などの壁面に直接取り付けてもよい。すなわち、支持台３０は、必要に応じて設けられ、省略可能である。
【００３２】
吐水システム１０は、パネル部１２（支持部）と、水栓ユニット１４と、水栓操作部１６と、を有する。パネル部１２は、洗面器２０の後端部の上に設けられる。換言すれば、パネル部１２は、洗面器２０のバックガードの上に設けられる。パネル部１２は、例えば、洗面器２０の上方において、洗面所の壁面などに取り付けられる。パネル部１２は、後方に向けて開口した略直方体の箱状である。
【００３３】
パネル部１２は、取付パネル１２ｆを有する。取付パネル１２ｆは、例えば、板状である。取付パネル１２ｆは、取付面１２ａを有する。取付パネル１２ｆは、鉛直方向に延びる。取付面１２ａは、立面（垂直面）である。取付面１２ａは、鉛直方向に対して傾斜してよい。取付パネル１２ｆは、少なくとも鉛直方向に延びる成分を有していればよい。取付面１２ａは、パネル部１２が洗面器２０の上に取り付けられた状態（使用状態）において前方を向き、洗面化粧台２を使用する使用者と対向する。取付パネル１２ｆは、換言すれば、パネル部１２の前面パネルである。取付面１２ａは、換言すれば、パネル部１２の前面である。
【００３４】
本願明細書においては、取付面１２ａから手前に向かう方向（取付面１２ａの向く方向）を「前方」とし、これと反対の方向を「後方」とする。また、前後方向及び上下方向に対して垂直な方向を左右方向とする。より具体的には、後方を向いた使用者側から見て右側の方向を右方向とし、これと反対の方向を左方向とする。
【００３５】
水栓ユニット１４及び水栓操作部１６は、パネル部１２の取付面１２ａに設けられる。換言すれば、パネル部１２は、水栓ユニット１４及び水栓操作部１６を支持する。水栓ユニット１４は、洗面器２０の洗面ボウル２２に向けて水を吐出する吐水口１４ａを有する。水栓操作部１６は、パネル部１２の内部空間において配管などを介して水栓ユニット１４に接続される。また、水栓操作部１６は、パネル部１２の内部空間において湯水混合部などを介して給水管及び給湯管に接続される。水栓操作部１６は、水栓ユニット１４の吐水口１４ａから吐出される水の流量及び温度を調節する。
【００３６】
水栓ユニット１４から吐出される水は、例えば、上水（水道水）である。水栓ユニット１４の吐水口１４ａは、例えば、整流、泡沫などの棒状の吐水を行う。水栓ユニット１４の吐水口１４ａは、例えば、シャワー状の吐水を行うものでもよい。例えば、棒状の吐水を行う吐水口とシャワー状の吐水を行う吐水口とを水栓ユニット１４に設けてもよい。
【００３７】
この例において、水栓操作部１６は、レバーハンドルである。水栓操作部１６は、これに限ることなく、回転型のハンドルなどでもよい。水栓操作部１６は、少なくとも流量を調節できればよい。水栓操作部１６は、例えば、洗面器２０に設けてもよい。
【００３８】
吐水システム１０は、吐水装置１００と、給水装置１１０と、をさらに有する。吐水装置１００は、パネル部１２の取付面１２ａに設けられる。換言すれば、パネル部１２は、吐水装置１００を支持する。吐水装置１００は、例えば、洗面器２０の上面２０ａ（溢れ面）よりも上方に設けられる。吐水装置１００は、吐水口２０２ａ（図２参照）を有し、吐水口２０２ａから洗面器２０の洗面ボウル２２に向けて水を吐出する。吐水装置１００は、パネル部１２に取り付けられた状態において、吐水口２０２ａを洗面器２０の上面２０ａよりも上方に配置する。
【００３９】
吐水装置１００は、吐止水を操作するための操作部２０４を有し、使用者による操作部２０４の操作に応じて水を吐出する。吐水装置１００は、例えば、操作部２０４の操作に応じて一定時間（例えば、１０秒間）吐水を行い、一定時間の経過に応じて自動的に吐水を停止する。吐水装置１００は、例えば、操作部２０４の１回目の操作で吐水を行い、操作部２０４の２回目の操作で吐水を停止させてもよい。
【００４０】
吐水装置１００の吐出する水は、菌を減らす効果を有する機能水である。洗面化粧台２では、例えば、吐水装置１００から洗面ボウル２２に機能水を吐出することにより、排水口２４における菌の繁殖を抑えることができる。洗面化粧台２では、例えば、排水口２４の除菌を行い、洗面器２０を清潔に保つことができる。また、洗面化粧台２では、例えば、歯ブラシやコップなどに機能水を吐出することにより、これらの除菌を行うこともできる。
【００４１】
吐水装置１００の少なくとも一部は、水栓ユニット１４の吐水口１４ａよりも下方に配置される。吐水装置１００の吐水口２０２ａは、水栓ユニット１４よりも下方に配置される。これにより、例えば、吐水装置１００から吐出された機能水が、水栓ユニット１４にかかってしまうことを抑制することができる。例えば、使用者が、水栓ユニット１４に付着した機能水を、使用者が直接触れたり、水栓ユニット１４からの吐水に混入して機能水を誤飲してしまうことなどを抑制することができる。
【００４２】
また、吐水装置１００は、水栓ユニット１４の吐水口１４ａよりも後方（取付面１２ａ側）に設けられる。取付面１２ａから吐水装置１００の前端までの長さは、取付面１２ａから水栓ユニット１４の前端までの長さよりも短い。
【００４３】
この例では、水栓ユニット１４が、吐水装置１００とは別体にパネル部１２に支持されている。吐水装置１００は、水栓ユニット１４よりも小さい。吐水装置１００の外形の前出寸法は、水栓ユニット１４の外形の前出寸法よりも短い。換言すれば、取付面１２ａから吐水装置１００の前端までの水平方向の長さは、取付面１２ａから水栓ユニット１４の前端までの水平方向の長さよりも短い。水栓ユニット１４と吐水装置１００とは、互いに一体化させてもよい。例えば、通常の水を吐出する吐水口と機能水を吐出する吐水口とを一つのスパウトに設けてもよい。
【００４４】
給水装置１１０は、支持台３０の本体部３１内に設けられている。給水装置１１０は、電気配線及び通水部材を介して吐水装置１００に接続されている。また、給水装置１１０は、給水源及び電源に接続され、給水源から水の供給を受け、電源から電力の供給を受ける。給水装置１１０は、通水部材を介して吐水装置１００に機能水を供給するとともに、電気配線を介して吐水装置１００への電力の供給及び電気信号の送受を行う。
【００４５】
使用者が吐水装置１００に設けられた操作部２０４を操作すると、吐水装置１００から給水装置１１０に操作信号が送信される。給水装置１１０は、操作信号を受信すると、給水源から供給された水から機能水を生成し、生成した機能水を吐水装置１００に送る。これにより、使用者による操作部２０４の操作に応じて、吐水装置１００から機能水が吐出される。例えば、所定時間の経過などにより、操作部２０４の操作とは無関係に吐水装置１００から自動的に機能水を吐出させてもよい。以下では、操作部２０４の操作に応じて行う吐水を「手動吐水」、操作部２０４の操作とは無関係に行う吐水を「自動吐水」と称す。
【００４６】
給水装置１１０は、支持台３０内に限ることなく、例えば、パネル部１２の内部空間に配置してもよい。例えば、吐水装置１００に給水装置１１０の機能を組み込んでもよい。
【００４７】
図２（ａ）〜図２（ｄ）は、第１の実施形態に係る吐水装置を表す正面図、側面図、底面図、及び斜視図である。  
図２（ａ）〜図２（ｄ）に表したように、吐水装置１００は、ケーシング２００（装置本体）と、吐水ユニット２０２と、操作部２０４と、表示部２０６と、光照射部２０８（報知部）と、を有する。
【００４８】
ケーシング２００は、前面２００ａと、上面２００ｂと、底面２００ｃと、一対の側面２００ｄ、２００ｅと、を有する。ケーシング２００は、例えば、三角柱状である。換言すれば、ケーシング２００は、楔状である。ケーシング２００は、中空状であり、内部空間を有する。ケーシング２００は、この内部空間に吐水装置１００の各種の部材を収納する。
【００４９】
前面２００ａは、水平面に対して傾斜する。この例において、前面２００ａは、上部から下部に向うにつれて厚みを増すように傾斜している。換言すれば、前面２００ａは、下方に向かうに従って前方に突出するように下降傾斜している。前面２００ａは、例えば、水平面に対して垂直な垂直面でもよい。前面２００ａは、換言すれば、水平面に対して交差する面であればよい。前面２００ａの傾斜角度θ１は、例えば、取付面１２ａ（垂直面）に対して２０°程度（１０°以上３０°以下）である。
【００５０】
この例においては、上面２００ｂも、前方に向かうに従って下方に下がるように下降傾斜している。この例では、前面２００ａ及び上面２００ｂが、取付面１２ａと底面２００ｃとの間において、連続的に下降傾斜する。前面２００ａ及び上面２００ｂは、取付面１２ａから前方に向かうに従って連続的に下方に傾斜する。前面２００ａ及び上面２００ｂは、水平面及び上方に傾斜する傾斜面を有しない。
【００５１】
上述のように、吐水装置１００の少なくとも一部は、水栓ユニット１４の吐水口１４ａよりも下方に配置される。この際、前面２００ａ及び上面２００ｂを上記のように下降傾斜させることにより、水栓ユニット１４から吐出された水や手洗いにともなう汚水などが吐水装置１００にかかった場合にも、これらの水がケーシング２００の上に滞留してしまうことを抑制することができる。
【００５２】
ケーシング２００は、必ずしも上面２００ｂを有しなくてもよい。例えば、底面２００ｃの前端と取付面１２ａとを結ぶように傾斜した前面２００ａ（傾斜面）を形成してもよい。また、他の水栓器具などからの水掛かりの懸念が低い場所に吐水装置１００を配置する場合などには、前面２００ａ及び上面２００ｂに水平面や上昇傾斜する傾斜面などを設けてもよい。
【００５３】
底面２００ｃは、前面２００ａの下端から取付面１２ａに向かって延びる。底面２００ｃは、前面２００ａ及び上面２００ｂの下方に位置する。底面２００ｃは、前方に向かうに従って上方に上がるように上昇傾斜している。このように底面２００ｃを傾斜させることにより、例えば、吐水装置１００が取付面１２ａに取り付けられた状態において、吐水装置１００に下方から力が加わった場合に、力を前方に逃がすことができる。例えば、洗面化粧台２では、バケツなどの容器を洗面ボウル２２内から取り出す際に、容器の上端がケーシング２００の底面２００ｃに当接してしまうことが懸念される。底面２００ｃを上昇傾斜させておくことにより、このように容器などが底面２００ｃに当接した場合にも、容器の上端を前方にずらし易くすることができる。例えば、下方から力が加わった場合の吐水装置１００の破損を抑制することができる。
【００５４】
底面２００ｃの傾斜角度θ２は、例えば、水平面に対して０°よりも大きく２０°以下である。底面２００ｃは、例えば、前面２００ａと略直交する。これにより、例えば、下方から人体やその他の物体が衝突した場合であっても、力を適切に逃がすことができる。また、吐水ユニット２０２の吐水口２０２ａなどが目立ってしまうことを抑制することができる。なお、底面２００ｃは、必ずしも上昇傾斜する傾斜面に限ることなく、水平面でもよいし、下降傾斜する傾斜面でもよい。
【００５５】
各側面２００ｄ、２００ｅは、略平行である。各側面２００ｄ、２００ｅは、例えば、垂直面である。これにより、例えば、吐水装置１００の取付面１２ａへの取り付けの際に、吐水装置１００を把持し易くすることができる。例えば、吐水装置１００の取り付けの作業性を向上させることができる。側面２００ｄと側面２００ｅは、例えば、ケーシング２００を型成形する場合の抜き勾配を有してもよい。側面２００ｄと側面２００ｅとの成す角度は、例えば、５°以下である。また、各側面２００ｄ、２００ｅは、全体が略平行である必要はなく、少なくとも最も幅の広い部分が互いに略平行であればよい。
【００５６】
ケーシング２００の前後方向の長さ（取付面１２ａからの突出量）は、ケーシング２００の上下方向の長さよりも短い。ケーシング２００の前後方向の長さは、ケーシング２００の左右方向の長さよりも短い。このように、ケーシング２００（吐水装置１００）は、薄型の外観を有する。ケーシング２００の前後方向の長さは、例えば、２ｃｍ以上５ｃｍ以下である。ケーシング２００の上下方向の長さは、例えば、５ｃｍ以上１５ｃｍ以下である。ケーシング２００の前後方向の長さは、例えば、ケーシング２００の上下方向の長さの半分以下である。ケーシング２００の左右方向の長さは、例えば、２ｃｍ以上１０ｃｍ以下である。
【００５７】
このとき、ケーシング２００の前後方向の長さ（取付面１２ａからの突出量）は、前面２００ａが約２ｃｍに対して、上面２００ｂは１ｃｍ以下であり、前面２００ａが過半数を占める状態となっている。このように構成することで、より水が溜まりにくく形成することが可能であると同時に、ユニット全体が薄く見えるという効果が望める。
【００５８】
吐水ユニット２０２は、少なくともその一部が鉛直方向において前面２００ａと重なるように、ケーシング２００の下部に設けられる。吐水ユニット２０２は、ケーシング２００の底面２００ｃに設けられている。吐水ユニット２０２は、吐水口２０２ａを有する。吐水ユニット２０２を傾斜した前面２００ａの下に設けることによって、ケーシング２００全体の前後方向の長さを抑えることができる。吐水ユニット２０２は、吐水口２０２ａを底面２００ｃに露出させてケーシング２００に保持され、底面２００ｃから下方に向けて水を吐出する。吐水ユニット２０２は、給水装置１１０から供給された機能水を吐水口２０２ａから洗面ボウル２２に吐出する。吐水ユニット２０２は、例えば、洗面器２０の排水口２４に向けて機能水を吐水する。
【００５９】
吐水ユニット２０２は、ケーシング２００の先端２００ｔよりも奥側（後方）に配置される。ケーシング２００の先端２００ｔは、例えば、パネル部１２（支持部）から水平方向において最も離間した部分である。この例において、先端２００ｔは、取付面１２ａからの距離が、最長となる部分である。先端２００ｔは、換言すれば、ケーシング２００の前端である。
【００６０】
図２（ａ）及び図２（ｂ）に表したように、吐水口２０２ａの一部は、ケーシング２００の先端２００ｔに向かう方向において、ケーシング２００と重なる。この例において、先端２００ｔに向かう方向は、前方である。換言すれば、吐水口２０２ａの一部は、先端２００ｔ側から後方に向かって水平に見た時に、ケーシング２００と重なる。吐水口２０２ａの一部は、前方から見た時に、ケーシング２００と重なる。
【００６１】
ケーシング２００は、先端２００ｔ側において、吐水口２０２ａの一部を覆う。換言すれば、ケーシング２００は、吐水口２０２ａの一部の前方を覆う。
【００６２】
ケーシング２００は、吐水ユニット２０２の一部を収容可能な凹部２００ｖ（空間）を有する。凹部２００ｖは、ケーシング２００の下部に設けられ、底面２００ｃ及び側面２００ｄよりも凹んだ部分である。ケーシング２００は、凹部２００ｖに吐水ユニット２０２の一部を収容することにより、吐水口２０２ａの一部を覆う。
【００６３】
このように、吐水ユニット２０２を先端２００ｔよりも奥側に配置し、吐水口２０２ａの一部を、ケーシング２００の先端２００ｔに向かう方向において、ケーシング２００と重ねる。これにより、使用者から吐水口２０２ａを視認し難くすることができる。
【００６４】
この例では、底面２００ｃが上昇傾斜しており、前方から見た時に、吐水ユニット２０２の一部が、凹部２００ｖよりも下方に露出している。例えば、底面２００ｃを水平にしたり、凹部２００ｖの深さをより深くすることにより、吐水ユニット２０２の全体が、凹部２００ｖ内に収容されるようにしてもよい。すなわち、吐水口２０２ａの全体が、先端２００ｔに向かう方向において、ケーシング２００と重なるようにしてもよい。これにより、吐水口２０２ａをより使用者から視認し難くすることができる。吐水口２０２ａは、その少なくとも一部が、先端２００ｔに向かう方向において、ケーシング２００と重なっていればよい。
【００６５】
この例では、底面２００ｃの傾斜に従って、吐水口２０２ａも前方に向いて傾斜している。この場合、吐水口２０２ａを視認し難くするためには、上記のように、吐水口２０２ａの少なくとも一部をケーシング２００で覆う必要がある。例えば、吐水口２０２ａを水平にしたり、吐水口２０２ａを僅かに後方側に向けて傾斜させることにより、吐水口２０２ａが、先端２００ｔに向かう方向において、吐水ユニット２０２の本体部（側面部分）と重なるようにしてもよい。このように、吐水ユニット２０２自体で吐水口２０２ａを隠すようにしてもよい。吐水口２０２ａは、その少なくとも一部が、先端２００ｔに向かう方向において、ケーシング２００及び吐水ユニット２０２のいずれかと重なっていればよい。
【００６６】
吐水口２０２ａの少なくとも一部をケーシング２００（装置本体）で覆う方法は、凹部２００ｖ内に吐水ユニット２０２を収容する方法に限らない。例えば、下方に向かって突出する突出部をケーシング２００に設け、この突出部で吐水口２０２ａの少なくとも一部を覆うようにしてもよい。吐水口２０２ａの少なくとも一部を覆う部分は、ケーシング２００の任意の部分でよい。
【００６７】
図１に表したように、排水口２４の上方には、水栓ユニット１４が配置され、吐水装置１００は、排水口２４よりも左方向にずらして配置されている。このため、吐水ユニット２０２は、吐水口２０２ａの中心軸を鉛直方向に対して傾斜させている。ケーシング２００は、吐水口２０２ａの中心軸を鉛直方向に対して傾斜させた状態で吐水ユニット２０２を保持する。吐水ユニット２０２は、例えば、排水口２４に向け、右斜め下方に機能水を吐水する。これにより、水栓ユニット１４から吐出された水が吐水装置１００にかかってしまうことを抑制しつつ、機能水を適切に排水口２４に向けて吐出することができる。吐水ユニット２０２から吐出される水の向きは、上記に限ることなく、任意の方向でよい。
【００６８】
吐水ユニット２０２は、機能水をミスト状にして洗面ボウル２２に噴霧する。吐水ユニット２０２の吐水口２０２ａは、例えば、ミストノズルである。吐水ユニット２０２から吐出されるミスト状の機能水の外径（広がりの幅）は、吐水ユニット２０２の吐水口２０２ａの開口径よりも大きい。吐水ユニット２０２は、例えば、円錐状に機能水を噴霧する。これにより、例えば、洗面ボウル２２の広範囲に機能水を付着させることができ、洗面器２０をより適切に除菌することができる。
【００６９】
また、機能水をミスト状にして噴霧する場合には、棒状の吐水やシャワー状の吐水に比べて、広範囲に機能水を散布しつつ、機能水の流量を抑えることができる。吐水装置１００から吐出される機能水の流量は、水栓ユニット１４から吐出される水の流量よりも少ない。吐水装置１００の流量は、例えば、流量を調整可能な水栓ユニット１４の最大の流量よりも少ない。吐水装置１００の流量は、例えば、水栓ユニット１４の最大の流量の１／１００以上１／２以下である。
【００７０】
吐水ユニット２０２から吐出されるミスト状の機能水の粒子径は分布を持っており、サブミクロンオーダーのものから、２０００マイクロメートルを超えるものまで存在するが、その平均粒子径は、例えば約２００マイクロメートル（μｍ）以上１５００μｍ以下程度である。これにより、例えば、必要な洗浄性能を確保することができ、かつ機能水の不要な飛散を抑制することができる。なお、ここでいう平均粒子径はＨｅ−Ｎｅレーザを利用したフランホーヘル解析法で得られる粒子径分布に基づいたザウター平均値（総体積／総表面積）であり、直径相当のものを言う。
【００７１】
操作部２０４は、吐水口２０２ａよりも上方に設けられる。この例において、操作部２０４は、ケーシング２００の前面２００ａに設けられている。これにより、操作部２０４が前方を向き、使用者に操作部２０４を操作し易くさせることができる。また、前面２００ａは、前述のように下降傾斜している。このため、操作部２０４は、前面２００ａの傾斜角に応じて僅かに上方を向く。吐水装置１００は、立った状態の成人の使用者の腰から胸の高さ付近に配置される。床面（支持台３０の下端）から吐水装置１００の下端までの高さは、例えば、７０ｃｍ以上１５０ｃｍ以下である。従って、上記のように操作部２０４を上向きに取り付けることにより、操作部２０４を使用者により操作し易くさせることができる。操作部２０４は、前面２００ａに限ることなく、例えば、下降傾斜した上面２００ｂに設けてもよい。
【００７２】
この例において、操作部２０４は、使用者が押圧操作する押しボタンである。このように、吐水装置１００の吐止水の操作は、水栓ユニット１４の吐止水の操作と異なる。また、この例において、操作部２０４は、平面状である。これにより、操作部２０４の部分に水が溜まってしまうことを抑制することができる。なお、「平面状」とは、例えば、操作していない状態（力が加わっていない状態）における前面２００ａからの高さが２ｍｍ以下の状態である。操作部２０４は、押しボタンに限ることなく、スライド式の操作部やレバー状の操作部などでもよい。操作部２０４の形状及び操作態様は、使用者が操作可能な任意の形状及び操作態様でよい。
【００７３】
表示部２０６は、ケーシング２００の前面２００ａに設けられている。この例において、表示部２０６は、操作部２０４内に設けられている。表示部２０６は、操作部２０４とは別に前面２００ａに設けてもよい。換言すれば、表示部２０６は、操作部２０４と並べて前面２００ａに設けてもよい。表示部２０６は、前面２００ａに限ることなく、上面２００ｂなどに設けてもよい。
【００７４】
表示部２０６は、使用者に対して吐水装置１００の状態の表示を行う。表示部２０６は、例えば、光の点灯・消灯により、自動吐水機能のオン・オフの状態を表示する。表示部２０６は、例えば、自動吐水機能がオンに設定されている場合に点灯し、自動吐水機能がオフに設定されている場合に消灯することにより、自動吐水機能のオン・オフを使用者に表示する。
【００７５】
自動吐水機能のオン・オフは、例えば、操作部２０４の操作によって切り替えられる。例えば、自動吐水機能がオフに設定されている状態で操作部２０４を長押しする（所定時間押し続ける）ことにより、オンに設定される。そして、自動吐水機能がオンに設定されている状態で操作部２０４を長押しすることにより、オフに設定される。
【００７６】
表示部２０６による使用者への表示は、自動吐水機能のオン・オフに限ることなく、使用者への表示が必要な任意の情報でよい。また、表示部２０６の表示の態様は、光の点灯・消灯に限ることなく、使用者への表示が可能な任意の態様でよい。例えば、色や文字を変化させることによって表示を行ってもよい。表示部２０６には、例えば、ディスプレイ装置などを用いてもよい。
【００７７】
光照射部２０８は、吐水ユニット２０２と並べてケーシング２００の底面２００ｃに設けられている。光照射部２０８は、吐水ユニット２０２から機能水を吐水する際に点灯することにより、吐水が行われていることを使用者に報知する。光照射部２０８は、例えば、排水口２４を照らす。より詳しくは、洗面器２０のうちの吐水ユニット２０２から吐出された機能水が噴霧されるエリアを照らす。
【００７８】
また、光照射部２０８は、例えば、自動吐水機能を開始する直前に点滅することにより、自動吐水機能が開始されることを使用者に報知する。使用者への報知方法としては、点滅以外に点灯するものや明滅するものであってもよい。
【００７９】
光照射部２０８は、例えば、青色の光を照射する。機能水は、必ずしも飲用に適するものではない。従って、このように機能水の吐出を報知し、水栓ユニット１４による通常の吐水時と異なる状況を形成することにより、通常の吐水ではないことを使用者に知らせることができる。例えば、使用者に飲用を思いとどまらせ、機能水の誤飲を抑制することができる。
【００８０】
吐水が行われているか否かの報知、及び自動吐水開始の報知は、例えば、表示部２０６で行ってもよい。吐水が行われているか否かの報知、及び自動吐水開始の報知は、光の照射に限ることなく、例えば、音声などで行ってもよい。例えば、飲用に不適な水が吐出されていることを、音声などで報知してもよい。これらの報知は、報知が可能な任意の態様でよい。
【００８１】
図３は、第１の実施形態に係る吐水装置を表す分解斜視図である。  
図４は、第１の実施形態に係る吐水装置を表す断面図である。  
図５は、第１の実施形態に係る吐水装置の一部を表す部分断面図である。  
図４は、図２（ａ）のＡ１−Ａ２線断面を表す。  
図５は、図２（ａ）のＢ１−Ｂ２線断面を表す。  
図３〜図５に表したように、吐水装置１００は、電子ユニット２１０と、光照射ユニット２１２と、連結ユニット２１４と、シール部材２１６と、をさらに有する。また、ケーシング２００は、ベース２２０と、カバー２２２と、表面シート２２４と、を有する。
【００８２】
ベース２２０は、略長方形状の板状部２２０ａと、板状部２２０ａから後方に向かって延びる筒状部２２０ｂと、を有する。板状部２２０ａは、貫通孔状の開口部２２０ｃを有する。すなわち、ケーシング２００は、後方に開口する開口部２２０ｃを有する。筒状部２２０ｂは、開口部２２０ｃを囲む。筒状部２２０ｂは、例えば、略円筒状である。筒状部２２０ｂは、例えば、開口部２２０ｃの全周を囲む。筒状部２２０ｂは、必ずしも開口部２２０ｃの全周を囲まなくてもよい。筒状部２２０ｂは、例えば、Ｃ字状でもよい。
【００８３】
カバー２２２は、後方に開口する開口箱状である。カバー２２２は、ベース２２０の前方を覆い、ベース２２０との間に内部空間２００ｓを形成する。ケーシング２００は、この内部空間２００ｓ内に電子ユニット２１０、光照射ユニット２１２、及び連結ユニット２１４などの各部を収納する。開口部２２０ｃは、この内部空間２００ｓの一部を外部に露呈させる。
【００８４】
カバー２２２は、例えば、ベース２２０の板状部２２０ａの背面側からネジ止めすることによってベース２２０に取り付けられる。カバー２２２の取付方法は、これに限ることなく、ベース２２０に取り付け可能な任意の方法でよい。なお、カバー２２２は、ベース２２０に対して着脱可能であることが好ましい。
【００８５】
図４に表したように、パネル部１２の取付パネル１２ｆは、貫通孔状の取付穴１２ｂを有する。取付穴１２ｂは、例えば、吐水装置１００の取付パネル１２ｆへの取り付けに用いられる。ケーシング２００は、取付パネル１２ｆに取り付けられた状態において、取付穴１２ｂに開口部２２０ｃを対向させる。これにより、ケーシング２００は、内部空間２００ｓを取付パネル１２ｆの裏側の空間と連通させる。換言すれば、ケーシング２００は、内部空間２００ｓを開口箱状のパネル部１２の内部空間と連通させる。
【００８６】
また、ケーシング２００は、取付パネル１２ｆに取り付けられた状態において、筒状部２２０ｂの少なくとも一部を取付穴１２ｂに挿通する。また、ケーシング２００の外形形状は、取付穴１２ｂの外形形状よりも大きい。ケーシング２００は、取付パネル１２ｆに取り付けられた状態において、取付穴１２ｂを塞ぎ、取付穴１２ｂを介してパネル部１２内に水などが浸入してしまうことを抑制する（図１参照）。
【００８７】
カバー２２２は、カバー本体２２２ａと、カバー本体２２２ａの前面に設けられた可動部２２２ｂと、を有する。可動部２２２ｂは、カバー本体２２２ａの前面の略中央に設けられている。可動部２２２ｂは、前後方向に移動可能にカバー本体２２２ａに取り付けられている。可動部２２２ｂは、例えば、接続部を介してカバー本体２２２ａに接続され、接続部の弾性変形により、前後方向に移動する。
【００８８】
表面シート２２４は、例えば、樹脂シートなどの可撓性を有するシート体である。表面シート２２４は、シート本体２２４ａと、凸部２２４ｂと、光透過窓２２４ｃと、を有する。シート本体２２４ａは、略長方形状である。シート本体２２４ａの形状は、カバー本体２２２ａの前面の形状と実質的に同じである。シート本体２２４ａは、カバー本体２２２ａの前面に貼り付けられる。
【００８９】
凸部２２４ｂは、シート本体２２４ａよりも僅かに前方に膨らんだ部分である。凸部２２４ｂは、シート本体２２４ａの略中央に設けられている。凸部２２４ｂは、シート本体２２４ａをカバー本体２２２ａに貼り付けた状態において、可動部２２２ｂと対向する。凸部２２４ｂは、シート本体２２４ａと連続的に形成されている。換言すれば、凸部２２４ｂは、シート本体２２４ａと一体化している。これにより、表面シート２２４は、カバー２２２のカバー本体２２２ａと可動部２２２ｂとの間に空く隙間を覆う。表面シート２２４は、カバー２２２の隙間から水や塵埃などがケーシング２００の内部空間２００ｓに入り込んでしまうことを抑制する。
【００９０】
この例において、操作部２０４は、可動部２２２ｂと凸部２２４ｂとで形成される。使用者が表面シート２２４の凸部２２４ｂの部分を押圧すると、凸部２２４ｂが撓み、接続部が弾性変形して可動部２２２ｂが後方に移動する。そして、使用者が押圧操作を解除すると、接続部の弾性によって可動部２２２ｂが前方の初期の位置に戻り、凸部２２４ｂの撓みも解消される。このように、可動部２２２ｂと凸部２２４ｂとによって使用者の押圧操作が可能になり、可動部２２２ｂと凸部２２４ｂとで平面状の操作部２０４が形成される。
【００９１】
光透過窓２２４ｃは、可視光に対して光透過性を有する。光透過窓２２４ｃは、表示部２０６の一部を形成する。表面シート２２４において、シート本体２２４ａ及び凸部２２４ｂの光透過率は、光透過窓２２４ｃの光透過率よりも低い。シート本体２２４ａ及び凸部２２４ｂは、例えば、色付きのシートであり、可視光に対して実質的に光透過性を有しない。これにより、表面シート２２４は、可動部２２２ｂや、カバー本体２２２ａと可動部２２２ｂとの間の隙間を覆い隠す。これにより、例えば、吐水装置１００の美観を向上させることができる。
【００９２】
電子ユニット２１０は、基板２３０と、検出器２３２と、発光素子２３４と、ケース２３６と、電気配線２３８と、を有する。基板２３０は、実装面２３０ａを有する。電子部品である検出器２３２及び発光素子２３４は、実装面２３０ａの上に実装されている。ケース２３６は、基板２３０と検出器２３２と発光素子２３４とを保持する。
【００９３】
電子ユニット２１０は、少なくともその一部が鉛直方向において傾斜した前面２００ａ及び吐水ユニット２０２と重なるように、ケーシング２００の内部空間２００ｓ内に設けられる。電子ユニット２１０は、例えば、ベース２２０に保持される。ベース２２０は、実装面２３０ａを水平面に対して傾斜させて保持する。すなわち、ケーシング２００は、実装面２３０ａを水平面に対して傾斜させた状態で電子ユニット２１０を内部空間２００ｓ内に保持する。ベース２２０は、実装面２３０ａを下方に向かうに従って前方に突出するように下降傾斜させる。この例において、ベース２２０は、実装面２３０ａをケーシング２００の前面２００ａと略平行に保持する。電子ユニット２１０を傾斜した前面２００ａ及び吐水ユニット２０２と重なるように設けることによって、ケーシング２００全体の前後方向の長さを抑えることができる。
【００９４】
このように、電子ユニット２１０の実装面２３０ａは、水平面に対して傾斜する。これにより、例えば、実装面２３０ａの上に水滴などが付着した場合においても、実装面２３０ａの上に水分が滞留してしまうことを抑制することができる。実装面２３０ａの傾斜角は、ケーシング２００の前面２００ａと略平行な角度に限ることなく、水平面と交差する任意の角度でよい。
【００９５】
ベース２２０は、電子ユニット２１０をカバー２２２の可動部２２２ｂと対向させる。また、ベース２２０は、電子ユニット２１０の少なくとも一部が水平方向において開口部２２０ｃ及び取付穴１２ｂと重なるように電子ユニット２１０を保持する。
【００９６】
ベース２２０は、電子ユニット２１０の少なくとも一部が筒状部２２０ｂ内に入り込むように電子ユニット２１０を保持する。換言すれば、ベース２２０は、電子ユニット２１０の少なくとも一部を開口部２２０ｃに入り込ませる。ベース２２０は、例えば、取付パネル１２ｆに取り付けられた状態において、電子ユニット２１０の少なくとも一部を取付穴１２ｂに入り込ませる。
【００９７】
検出器２３２は、吐水ユニット２０２の吐止水を制御するための使用者の操作を検出する。この例において、検出器２３２は、使用者による操作部２０４の押圧操作を検出する。検出器２３２は、例えば、操作部２０４の操作を検出し、検出結果に応じた電気信号（操作信号）を出力する電気スイッチである。検出器２３２は、プランジャー２３２ａを有する。検出器２３２は、いわゆる押しボタン式のスイッチである。検出器２３２は、プランジャー２３２ａをカバー２２２の可動部２２２ｂと対向させる。検出器２３２は、使用者の押圧操作に応じて可動部２２２ｂが後方に移動した際に、プランジャー２３２ａが可動部２２２ｂに当接して押圧されるように配置される。検出器２３２は、可動部２２２ｂの移動にともなうプランジャー２３２ａの押圧により、使用者の押圧操作を検出する。
【００９８】
検出器２３２は、押しボタン式のスイッチに限ることなく、例えば、スライドスイッチやレバースイッチなどでもよい。検出器２３２は、操作部２０４の操作態様に応じた任意の検出器でよい。検出器２３２は、例えば、使用者のタッチ操作を検出するタッチパネルなどでもよい。また、検出器２３２は、静電容量センサなど、使用者の操作を非接触で検出するセンサなどでもよい。検出器２３２の検出する使用者の操作は、接触をともなう操作に限ることなく、例えば、手などをケーシング２００に近接させる近接操作などでもよい。
【００９９】
非接触型のセンサなどを検出器２３２に用いる場合には、例えば、検出器２３２の検出領域を吐水ユニット２０２による機能水の噴霧領域よりも広くする。これにより、例えば、コップなどが噴霧領域に入る前に、機能水の噴霧を開始することができる。これにより、噴霧開始後にコップなどを差し入れざるを得なくすることができる。例えば、機能水が吐出されることを認識していない不慣れな使用者が、誤ってコップなどに機能水を溜めてしまうことを抑制することができる。
【０１００】
発光素子２３４は、表面シート２２４の光透過窓２２４ｃと対向する。発光素子２３４は、光透過窓２２４ｃを介してケーシング２００の外部に光を照射する。これにより、発光素子２３４の点灯・消灯により、使用者に対して表示を行うことができる。すなわち、この例において、表示部２０６は、発光素子２３４と光透過窓２２４ｃとで構成される。発光素子２３４は、ＬＥＤ（Light Emitting Diode）、ＬＤ（Laser Diode）、ＯＬＥＤ（Organic Light Emitting Diode）など、光を照射可能な任意の素子でよい。
【０１０１】
電気配線２３８は、基板２３０と電気的に接続されている。また、電気配線２３８は、給水装置１１０と電気的に接続されている。すなわち、電気配線２３８は、基板２３０と給水装置１１０とを電気的に接続する。電気配線２３８は、例えば、コネクタなどを介して基板２３０及び給水装置１１０に対して着脱可能に接続してもよい。
【０１０２】
電気配線２３８は、例えば、グランド線２３８ｇと、検出器２３２の信号線２３８ｓと、発光素子２３４の電源線２３８ｐと、の３本の配線を有する（図７参照）。検出器２３２及び発光素子２３４は、基板２３０と電気配線２３８とを介して給水装置１１０と電気的に接続される。グランド線２３８ｇは、検出器２３２及び発光素子２３４に共通に用いられる。検出器２３２は、使用者の操作を検出すると、信号線２３８ｓを介して操作信号を給水装置１１０に送信する。発光素子２３４は、電源線２３８ｐを介する給水装置１１０からの電力供給に応じて点灯し、給水装置１１０の電力供給の停止に応じて消灯する。
【０１０３】
電子ユニット２１０は、ケーシング２００の内部空間２００ｓにおいて電気配線２３８に接続される。より詳しくは、電子ユニット２１０の基板２３０が、内部空間２００ｓにおいて電気配線２３８に接続される。電気配線２３８は、開口部２２０ｃに挿通され、開口部２２０ｃを介して内部空間２００ｓに入り込む。また、電気配線２３８は、取付穴１２ｂを介してパネル部１２の内部空間に入り込み、パネル部１２の内部空間を介して給水装置１１０に接続される。このように、開口部２２０ｃ及び取付穴１２ｂは、ケーシング２００の取り付けに用いられるとともに、電気配線２３８を挿通するための開口としても用いられる。
【０１０４】
光照射ユニット２１２は、略筒状のケース２１２ａと、ケース２１２ａ内に設けられた発光素子２１２ｓ（図７参照）と、を有する。光照射ユニット２１２は、ケース２１２ａの開口端を底面２００ｃに露出させた状態でケーシング２００の内部空間２００ｓ内に保持される。光照射ユニット２１２は、発光素子２１２ｓの光をケース２１２ａの開口端から放出し、底面２００ｃから下方に向けて光を照射する。すなわち、この例においては、光照射ユニット２１２によって光照射部２０８が構成される。
【０１０５】
光照射ユニット２１２は、電気配線２１２ｃを介して給水装置１１０に接続されている。光照射ユニット２１２は、給水装置１１０からの電力供給に応じて光を照射し、給水装置１１０の電力供給の停止に応じて光の照射を停止する。光照射ユニット２１２に接続された電気配線２１２ｃは、例えば、電気配線２３８と同様に、開口部２２０ｃを介して内部空間２００ｓに入り込む。
【０１０６】
連結ユニット２１４は、ケーシング２００の内部空間２００ｓ内に設けられる。連結ユニット２１４は、筒状である。連結ユニット２１４は、吐水ユニット２０２に接続される第１接続部２１４ａと、通水部材２４０に接続される第２接続部２１４ｂと、を有する。通水部材２４０は、給水装置１１０に接続される。このように、吐水ユニット２０２は、連結ユニット２１４及び通水部材２４０を介して、給水装置１１０に接続される。給水装置１１０は、連結ユニット２１４及び通水部材２４０を介して、吐水ユニット２０２に機能水を供給する。これにより、給水装置１１０から供給された機能水が、吐水ユニット２０２の吐水口２０２ａから吐出される。通水部材２４０は、可撓性を有する。通水部材２４０は、例えば、ゴムチューブである。
【０１０７】
連結ユニット２１４の第２接続部２１４ｂは、例えば、略円筒状である。第２接続部２１４ｂの外径は、断面略円形のチューブである通水部材２４０の内径と実質的に同じである。連結ユニット２１４は、例えば、第２接続部２１４ｂを通水部材２４０の一端に挿し込むことにより、通水部材２４０と接続される。また、通水部材２４０の一端には、例えば、クリップ２４２が取り付けられる。これにより、連結ユニット２１４と通水部材２４０との接続箇所からの水漏れや、通水部材２４０の抜けなどをより適切に抑制することができる。
【０１０８】
ケーシング２００の筒状部２２０ｂの後端下方には、上方に向かって突出する突出部２２０ｐが設けられている。突出部２２０ｐの上端は、例えば、開口部２２０ｃの下端よりも上に位置する。突出部２２０ｐは、例えば、連結ユニット２１４と通水部材２４０との接続箇所から水漏れが発生した場合に、漏れ出た水がパネル部１２側に流れ落ちてしまうことを抑制する。突出部２２０ｐは、例えば、漏れ出た水がケーシング２００側に流れるようにする。ケーシング２００側に流れた水は、例えば、光照射ユニット２１２を露呈させる開口などを介して、洗面器２０に滴下する。これにより、水漏れが発生した場合にも、漏れ出た水を洗面器２０に流し、パネル部１２内や支持台３０内などに垂れ落ちてしまうことを抑制することができる。
【０１０９】
吐水ユニット２０２は、先端に吐水口２０２ａが設けられた筒状の本体部２０２ｈを有する。本体部２０２ｈは、例えば、略円筒状である。連結ユニット２１４の第１接続部２１４ａは、例えば、略円筒状である。第１接続部２１４ａの内径は、吐水ユニット２０２の本体部２０２ｈの後端付近の外径と実質的に同じである。
【０１１０】
吐水ユニット２０２は、本体部２０２ｈの先端から外側に広がるフランジ部２０２ｆを有する。また、本体部２０２ｈの後端付近の外面には、雄ネジ２０２ｎが設けられている。連結ユニット２１４の第１接続部２１４ａの内面には、吐水ユニット２０２の雄ネジ２０２ｎに対応した雌ネジ２１４ｎが設けられている。ケーシング２００の底面２００ｃには、吐水ユニット２０２の本体部２０２ｈの外径に対応した略円形の開口が設けられている。
【０１１１】
吐水ユニット２０２は、ケーシング２００の外側から本体部２０２ｈの後端を内部空間２００ｓ内に挿し込み、雄ネジ２０２ｎを雌ネジ２１４ｎに螺合させることにより、連結ユニット２１４に接続される。このように、吐水ユニット２０２は、ケーシング２００の外側から取り付けることができる。ケーシング２００は、吐水ユニット２０２をケーシング２００の外側から着脱可能に保持する。これにより、例えば、吐水口２０２ａの目詰まりなどが発生した場合に、吐水ユニット２０２のみを容易に交換することができる。吐水ユニット２０２をケーシング２００の外側から着脱可能に保持する方法は、上記に限ることなく、ケーシング２００の外側から吐水ユニット２０２を着脱可能な任意の方法でよい。
【０１１２】
また、吐水ユニット２０２は、フランジ部２０２ｆの後端面をケーシング２００に接触させる。そして、吐水ユニット２０２は、雄ネジ２０２ｎと雌ネジ２１４ｎとの螺合により、連結ユニット２１４とともにケーシング２００の一部を共締めする。これにより、吐水ユニット２０２及び連結ユニット２１４が、ケーシング２００に保持される。
【０１１３】
また、吐水ユニット２０２は、フランジ部２０２ｆの後端面をケーシング２００に接触させることにより、本体部２０２ｈとケーシング２００との間をシールする。これにより、吐水ユニット２０２をケーシング２００の外側から取り付ける場合においても、ケーシング２００と吐水ユニット２０２との間の隙間などからケーシング２００内に水などが浸入してしまうことを抑制することができる。
【０１１４】
吐水ユニット２０２の本体部２０２ｈは、凹部２０２ｂを有する。凹部２０２ｂは、本体部２０２ｈの外面において、軸方向の中央付近に配置されている。凹部２０２ｂには、シール部材２４４が嵌め込まれる。シール部材２４４は、いわゆるＯリングである。シール部材２４４は、弾性を有し、吐水ユニット２０２が連結ユニット２１４に接続された状態において、吐水ユニット２０２と連結ユニット２１４との間の隙間を埋める。これにより、例えば、吐水ユニット２０２と連結ユニット２１４との間における水漏れの発生をより適切に抑制することができる。
【０１１５】
吐水ユニット２０２は、ケーシング２００の内部空間２００ｓにおいて、連結ユニット２１４を介して通水部材２４０に接続される。吐水ユニット２０２は、通水部材２４０を介して供給される水を吐水口２０２ａから吐出する。通水部材２４０は、電気配線２３８と同様に、開口部２２０ｃに挿通され、開口部２２０ｃを介して内部空間２００ｓに入り込む。また、通水部材２４０は、取付穴１２ｂを介してパネル部１２の内部空間に入り込み、パネル部１２の内部空間を介して給水装置１１０に接続される。このように、開口部２２０ｃ及び取付穴１２ｂは、通水部材２４０を挿通するための開口としても用いられる。
【０１１６】
シール部材２１６は、ケーシング２００と取付面１２ａとの間をシールする。シール部材２１６は、弾性を有し、ケーシング２００が取付面１２ａに取り付けられた状態において、ケーシング２００と取付面１２ａとに挟まれて弾性変形することにより、ケーシング２００と取付面１２ａとの間に空く隙間を埋める。シール部材２１６は、例えば、ケーシング２００の後端部の外縁に沿う環状である。シール部材２１６は、例えば、ケーシング２００の開口部２２０ｃを囲む。シール部材２１６は、例えば、ケーシング２００が取付面１２ａに取り付けられた状態において、取付穴１２ｂを囲む。これにより、シール部材２１６は、開口部２２０ｃからケーシング２００内への水などの浸入、及び取付穴１２ｂからパネル部１２内への水などの浸入を抑制する。
【０１１７】
図６は、第１の実施形態に係る吐水ユニットを表す断面図である。  
図６に表したように、吐水ユニット２０２は、流入口２０２ｃと、直進流供給流路２０２ｄと、一対の旋回流供給流路２０２ｅと、を有する。流入口２０２ｃは、本体部２０２ｈの吐水口２０２ａと反対側の開口である。流入口２０２ｃは、連結ユニット２１４を介して供給される機能水を受ける。機能水は、流入口２０２ｃを介して吐水ユニット２０２内に流入する。
【０１１８】
直進流供給流路２０２ｄは、流入口２０２ｃと吐水口２０２ａとの間を接続する。直進流供給流路２０２ｄは、例えば、流入口２０２ｃから吐水口２０２ａに向かって直線状に延びる。直進流供給流路２０２ｄは、例えば、吐水口２０２ａ及び流入口２０２ｃの中心軸ＣＡと平行に延びる。これにより、直進流供給流路２０２ｄは、流入口２０２ｃから流入した機能水の一部を、直進流として吐水口２０２ａに供給する。直進流供給流路２０２ｄは、直線状に限ることなく、屈曲又は湾曲した形状などでもよい。直進流供給流路２０２ｄの形状は、吐水口２０２ａに直進流を供給可能な任意の形状でよい。
【０１１９】
各旋回流供給流路２０２ｅは、直進流供給流路２０２ｄと並行に設けられ、流入口２０２ｃと直進流供給流路２０２ｄの側方との間を接続する。各旋回流供給流路２０２ｅは、例えば、流入口２０２ｃから中心軸ＣＡと平行に延び、略垂直に屈曲することにより、直進流供給流路２０２ｄの側方に接続される。また、各旋回流供給流路２０２ｅの一部は、中心軸ＣＡ周りの方向に延びる。各旋回流供給流路２０２ｅの一部は、例えば、中心軸ＣＡに対して螺旋状に延びる。これにより、各旋回流供給流路２０２ｅは、流入口２０２ｃから流入した機能水の一部を、中心軸ＣＡ周りの旋回流として吐水口２０２ａに供給する。換言すれば、各旋回流供給流路２０２ｅは、流入口２０２ｃから吐水口２０２ａに流れる機能水に対して中心軸ＣＡ周りの旋回力を与える。各旋回流供給流路２０２ｅの形状は、上記に限ることなく、吐水口２０２ａに旋回流を供給可能な任意の形状でよい。この例では、吐水ユニット２０２に２つの旋回流供給流路２０２ｅを設けている。旋回流供給流路２０２ｅの数は、２つに限ることなく、１つでもよいし、３つ以上でもよい。
【０１２０】
吐水ユニット２０２では、直進流と旋回流との比率を調整することにより、吐水時の略円錐状の噴霧状態における機能水の粒子ＰＴ（水滴）の疎密を、中央部分ＣＰと外側部分ＥＰとで変化させることができる。
【０１２１】
例えば、直進流の比率を高くすることにより、中央部分ＣＰにおける機能水の粒子ＰＴの密度が高くなる。反対に、旋回流の比率を高くすることにより、外側部分ＥＰにおける機能水の粒子ＰＴの密度が高くなる。
【０１２２】
中央部分ＣＰとは、より詳しくは、吐水ユニット２０２の機能水の噴霧エリアのうち、吐水口２０２ａの中心軸ＣＡと直交する面内において、中心軸ＣＡに近い部分である。外側部分ＥＰとは、より詳しくは、吐水ユニット２０２の機能水の噴霧エリアのうち、吐水口２０２ａの中心軸ＣＡと直交する面内において、中心軸ＣＡから離間した部分である。
【０１２３】
図６に表したように、吐水ユニット２０２は、中央部分ＣＰよりも外側部分ＥＰの方が粒子ＰＴの密度が低くなるように、ミスト状の機能水を噴霧する。吐水ユニット２０２は、例えば、中心において粒子ＰＴの密度が最も高く、外側に向かう程、粒子ＰＴの密度が低くなるように機能水を噴霧する。
【０１２４】
粒子ＰＴの密度は、上述のように、直進流と旋回流との比率を調整することによって調整することができる。また、直進流と旋回流との比率は、例えば、各流路２０２ｄ、２０２ｅの断面積などを変化させることによって調整することができる。
【０１２５】
粒子ＰＴの密度の比較は、以下の方法によって行うことが出来る。  
ノズルの吐水方向に、所定距離離した箇所に同心円状に複数の部屋を設けたノズルからの吐水の拡がりに合わせて吐水範囲と同等の外形を有する容器に向かって吐水を行い、所定時間経過後に溜まった水の量を比較することで、密度の比較を行うことが出来る。
【０１２６】
具体的には、吐水角度が３０度の円形範囲であるノズルを利用する場合、吐水口２０２ａから距離３０ｃｍの位置に、吐水口２０２ａの中心軸ＣＡの延長線上をの中心位置から、直径方向に１ｃｍずつ区切りを同心円状に設けた、直径１６ｃｍの容器を用意する。この容器に向かって、５分間吐水を行った際に、各区切りに溜まった水の量を、各区切りの表面積で割った値を粒子ＰＴの密度とする。
【０１２７】
図７は、第１の実施形態に係る給水装置を表すブロック図である。  
図７に表したように、給水装置１１０は、ストレーナ３００と、電磁弁３０２と、調圧弁３０４と、逆止弁３０６と、リリーフ弁３０８と、漏水検知部３１０と、機能水生成部３１２と、フィルタ３１４と、制御部３２０と、を有する。
【０１２８】
給水装置１１０は、配管３３０、ストレーナ３３２、止水栓３３４などを介して給水源ＷＳに接続される。給水装置１１０は、給水源ＷＳから水の供給を受ける。給水源ＷＳから給水装置１１０に供給される水は、例えば、上水（水道水）である。
【０１２９】
また、給水装置１１０は、電源線などを介して電力源ＰＳに接続される。給水装置１１０は、電力源ＰＳから電力の供給を受ける。電力源ＰＳは、例えば、商用電源である。給水装置１１０は、例えば、図示を省略した電源回路を有する。電源回路は、例えば、電力源ＰＳから供給された電力を制御部３２０に対応した電力に変換し、変換後の電力を制御部３２０に供給する。制御部３２０は、電力の供給に応じて動作し、給水装置１１０の各部の動作を制御する。
【０１３０】
制御部３２０は、電気配線２３８を介して電子ユニット２１０と接続され、電気配線２１２ｃを介して光照射ユニット２１２と接続される。制御部３２０は、検出器２３２から送信された操作信号を受信し、操作信号に応じて各発光素子２１２ｓ、２３４の点灯・消灯を制御する。このように、制御部３２０は、給水装置１１０の各部の動作を制御するとともに、吐水装置１００の各部の動作も制御する。
【０１３１】
ストレーナ３００は、給水源ＷＳから供給された水を濾し、不純物などが下流に流れることを抑制する。電磁弁３０２は、開閉可能な電磁バルブである。電磁弁３０２は、制御部３２０に接続され、制御部３２０からの指令に基づいて水の供給を制御する。電磁弁３０２を開状態にすることにより、電磁弁３０２よりも下流に水が流れる。また、電磁弁３０２は、例えば、下流に流れる水の流量を調整する。
【０１３２】
調圧弁３０４は、電磁弁３０２の下流に設けられ、給水圧が高い場合に、管路内の圧力を所定の圧力範囲に調整する。これにより、吐水装置１００から吐出される機能水の流量を、水栓ユニット１４から吐出される水の流量よりも少なくすることができる。逆止弁３０６は、調圧弁３０４の下流に設けられ、管路内の圧力が低下した場合などに、逆止弁３０６よりも上流側への水の逆流を抑制する。
【０１３３】
リリーフ弁３０８は、調圧弁３０４と逆止弁３０６との間に設けられている。リリーフ弁３０８は、管路内の圧力が設定値に達した場合に、管路内を流れる水の少なくとも一部を管路外に排出する。
【０１３４】
漏水検知部３１０は、リリーフ弁３０８からの水の排出を検知する。漏水検知部３１０は、制御部３２０に接続され、検知結果を制御部３２０に入力する。制御部３２０は、漏水検知部３１０によってリリーフ弁３０８からの水の排出が検知された場合、例えば、電磁弁３０２を閉じる動作など、検知に対応した所定の動作を行う。
【０１３５】
機能水生成部３１２は、逆止弁３０６の下流に設けられている。機能水生成部３１２は、逆止弁３０６を介して供給された水から機能水を生成する。機能水生成部３１２を逆止弁３０６の下流に配置することにより、例えば、生成された機能水の給水源ＷＳ側への逆流を抑制することができる。
【０１３６】
機能水生成部３１２は、例えば、電解槽を有する。電解槽の内部には、陽極板および陰極板が設けられている。機能水生成部３１２は、制御部３２０に接続され、制御部３２０から送信される信号に基づいて、電解槽の内部を流れる水道水や雑用水を電気分解する。ここで、水道水は、塩化物イオンを含んでいる。塩化物イオンは、水源（例えば、地下水や、ダムの水や、河川などの水）に例えば食塩（ＮａＣｌ）や塩化カルシウム（ＣａＣｌ２）などとして含まれている。そのため、塩化物イオンを電気分解することにより次亜塩素酸が生成される。その結果、機能水生成部３１２において電気分解された水（電解水）は、次亜塩素酸を含む液（機能水）に変化する。次亜塩素酸は、例えば、消臭成分あるいは殺菌成分として機能する。次亜塩素酸を含む液は、一般細菌などを減らしたりすることができる。
【０１３７】
なお、本実施形態の機能水生成部３１２は、次亜塩素酸を含む液を生成することに限定されるわけではない。機能水生成部３１２において生成される機能水は、銀イオンや銅イオンなどの金属イオンを含む液であってもよい。あるいは、機能水生成部３１２において生成される機能水は、電解塩素やオゾンなどを含む液であってもよい。あるいは、機能水生成部３１２において生成される機能水は、酸性水やアルカリ水であってもよい。また、機能水生成部３１２は、電解槽と、陽極板と、陰極板と、を有する電解槽ユニットに限定されるわけではない。
【０１３８】
フィルタ３１４は、機能水生成部３１２の下流に設けられている。フィルタ３１４は、機能水生成部３１２から供給された機能水を濾し、機能水に含まれる不純物などが下流に流れることを抑制する。フィルタ３１４は、例えば、機能水に含まれるゴミなどが吐水装置１００の吐水口２０２ａに到達してしまうことを抑制する。フィルタ３１４は、例えば、吐水装置１００に設けてもよい。フィルタ３１４の位置は、吐水口２０２ａと機能水生成部３１２との間の任意の位置でよい。例えば、吐水口２０２ａと機能水生成部３１２との間において、複数のフィルタ３１４を設けてもよい。
【０１３９】
給水装置１１０は、前述のように、通水部材２４０に接続される。フィルタ３１４を透過した機能水は、通水部材２４０や連結ユニット２１４などを介して吐水装置１００の吐水ユニット２０２に供給される。
【０１４０】
制御部３２０は、例えば、検出器２３２からの制御信号の入力に応じて電磁弁３０２を開き、機能水生成部３１２に水を供給するとともに、機能水生成部３１２を動作させることにより、機能水生成部３１２に機能水を生成させる。これにより、使用者による操作部２０４の操作に応じて給水装置１１０から吐水装置１００に機能水が供給され、吐水ユニット２０２の吐水口２０２ａから機能水が吐出される。制御部３２０は、例えば、検出器２３２の検出に応じて吐水ユニット２０２から機能水を吐出させた後、一定時間の経過に応じて機能水の吐出を停止させる。
【０１４１】
また、制御部３２０は、例えば、検出器２３２からの制御信号の入力に応じて光照射ユニット２１２の発光素子２１２ｓに電力を供給することにより、発光素子２１２ｓを点灯させる。これにより、吐水ユニット２０２からの機能水の吐水とともに光照射部２０８から光が照射され、吐水が行われていることを使用者に報知することができる。
【０１４２】
制御部３２０は、例えば、自動吐水機能がオンに設定されている場合に、電子ユニット２１０の発光素子２３４に電力を供給することにより、発光素子２３４を点灯させる。このように、制御部３２０は、吐水ユニット２０２からの機能水の吐水を制御するとともに、表示部２０６による使用者への表示や、光照射部２０８からの光の照射なども制御する。
【０１４３】
また、制御部３２０は、自動吐水機能がオンに設定されている場合、定期的に吐水ユニット２０２から機能水を吐出させる。制御部３２０は、例えば、前回の機能水の吐出から所定時間が経過した場合に、電磁弁３０２及び機能水生成部３１２を動作させることにより、吐水ユニット２０２から機能水を吐出させる。例えば、タイマなどを設け、予め設定された時間に機能水を吐出させるようにしてもよい。このように、制御部３２０は、検出器２３２の検出に応じて吐水ユニット２０２から機能水を吐出させるとともに、定期的に吐水ユニット２０２から機能水を吐出させる。
【０１４４】
このように、本実施形態に係る吐水装置１００では、棒状やシャワー状などの通常の吐水と異なるミスト状にして機能水を噴霧することにより、機能水の吐水であることを使用者に認識させることができる。例えば、通常吐水に比べて、より広い範囲に機能水を散布することもできる。さらに、中央部分ＣＰよりも外側部分ＥＰの方が粒子の密度が低くなるように、ミスト状の機能水を噴霧することにより、使用者の手などに機能水がかかってしまうことを抑制することができる。例えば、あまり濡れないうちに手を引っ込めることが可能になる。従って、機能水の吐出を容易に識別できるようにしつつ、使用者の操作に応じて機能水を吐出する場合にも、使用者の手などに機能水がかかってしまうことを抑制することができる。
【０１４５】
また、使用者による操作が可能な操作部２０４を吐水口２０２ａよりも上方に設けることにより、操作部２０４を操作する際に、操作する手などに機能水がかかってしまうことを抑制することができる。
【０１４６】
また、ケーシング２００が、吐水ユニット２０２をケーシング２００の外側から着脱可能に保持することにより、施工後においても、吐水ユニット２０２を容易に着脱することができる。例えば、吐水ユニット２０２の交換を容易に行うことができる。例えば、吐水ユニット２０２を取り外して洗浄を行うことができる。従って、吐水装置１００のメンテナンス性を向上させることができる。これにより、吐水口２０２ａにゴミなどが詰まって吐水形態が乱れ、使用者の手や服などを濡らしてしまうことを抑制することができる。
【０１４７】
また、吐水装置１００を水栓ユニット１４よりも前出寸法を小さくすることにより、水栓ユニット１４と吐水装置１００とをより識別し易くさせることができる。例えば、機能水が吐出されることを認識していない不慣れな使用者が、誤って吐水装置１００を操作し、手にかかってしまったり、機能水を飲んでしまったりすることなどを抑制することができる。
【０１４８】
また、吐水装置１００の吐止水の操作を、水栓ユニット１４の吐止水の操作と異ならせることにより、例えば、不慣れな使用者が吐水装置１００を使用してしまうことを抑制することができる。例えば、不慣れな使用者に対し、水栓ユニット１４側の使用を促し、手にかかってしまうことや機能水の誤飲をより抑制することができる。
【０１４９】
また、吐水装置１００の吐水口２０２ａよりも上流に、吐水口２０２ａに供給される機能水を濾すフィルタ３１４を設けることにより、吐水口２０２ａの目詰まりを抑制することができる。例えば、吐水口２０２ａにゴミなどが詰まって吐水形態が乱れ、使用者の手にかかってしまうことや服などを濡らしてしまうことを抑制することができる。
【０１５０】
また、制御部３２０が、定期的に吐水ユニット２０２から機能水を吐出させることにより、例えば、スケールなどが乾燥して吐水口２０２ａに固着することを抑制することができる。例えば、小さなゴミなどを吐水の力で押し流すことができる。吐水口２０２ａの目詰まりをより抑制することができる。これにより、本来の吐水を長期間に亘って維持でき、使用者の手に機能水がかかってしまうことを抑制することが可能となる。また、機能水の吐出を定期的に行うことにより、排水口２４における菌の繁殖をより適切に抑え、洗面器２０をより清潔に保つことができる。
【０１５１】
上記実施形態では、吐水装置１００を洗面化粧台２に適用した例を示している。吐水装置１００は、洗面化粧台２に限ることなく、例えば、水栓ユニットと洗面ボウルとを有する手洗い器などに適用してもよい。
【０１５２】
（第２の実施形態）  
図８は、第２の実施形態に係るシステムキッチンを表す斜視図である。  
図９は、第２の実施形態に係るシステムキッチンを表す上面図である。  
図８及び図９に表したように、システムキッチン５００（吐水システム）は、シンク５０２と、カウンタ５０４と、支持台５０６と、水栓ユニット５０８と、吐水装置５１０と、支持部５１２と、を備える。
【０１５３】
シンク５０２は、凹状である。シンク５０２は、排水口５０２ａを有する。排水口５０２ａは、シンク５０２の底部に設けられる。排水口５０２ａは、図示を省略した排水管に接続され、シンク５０２に吐出された水を排水管に流す。
【０１５４】
カウンタ５０４は、シンク５０２に隣接する。カウンタ５０４は、例えば、シンク５０２の開口端部分を囲む。シンク５０２は、換言すれば、カウンタ５０４の上面５０４ａ（溢れ面）から下方に凹んだ部分である。
【０１５５】
支持台５０６は、シンク５０２及びカウンタ５０４を支持する。この例において、支持台５０６は、調理器具などの物品を収納可能なキャビネットである。支持台５０６は、必ずしも収納機能を有しなくてもよい。支持台５０６は、シンク５０２及びカウンタ５０４を支持可能な任意の構成でよい。
【０１５６】
水栓ユニット５０８は、シンク５０２の後方に設けられている。水栓ユニット５０８は、スパウト５０８ａと、水栓操作部５０８ｂと、を有する。スパウト５０８ａは、吐水口５０８ｃを有する。水栓ユニット５０８は、スパウト５０８ａの吐水口５０８ｃからシンク５０２に向けて水を吐出する。水栓ユニット５０８は、棒状又はシャワー状の吐水を行う。水栓操作部５０８ｂは、例えば、吐水口５０８ａからの吐止水を切り替えるとともに、吐水口５０８ａから吐出される水の流量及び温度を調節する。
【０１５７】
この例において、水栓操作部５０８ｂは、レバーハンドルである。水栓操作部５０８ｂは、回転型のハンドルなどでもよい。この例では、スパウト５０８ａと水栓操作部５０８ｂとが一体化した水栓ユニット５０８を示している。水栓操作部５０８ｂは、スパウト５０８ａとは別にシンク５０２の周囲に設けてもよい。水栓ユニット５０８は、必ずしも水栓操作部５０８ｂを含まなくてもよい。
【０１５８】
吐水装置５１０は、シンク５０２の後方に設けられている。吐水装置５１０は、吐水口６０２ａを有する（図１０（ｂ）参照）。吐水口６０２ａは、カウンタ５０４の上面５０４ａよりも上方に設けられる。吐水装置５１０は、吐水口６０２ａからシンク５０２に向けて機能水を吐出する。吐水装置５１０は、上記第１の実施形態の吐水装置１００と同様に、給水装置１１０に接続され、給水装置１１０から供給された機能水をシンク５０２に吐出する。これにより、システムキッチン５００においても、上記第１の実施形態に関して説明した洗面化粧台２と同様に、排水口５０２ａなどにおける菌の繁殖を抑え、シンク５０２を清潔に保つことができる。この例において、給水装置１１０は、例えば、支持台５０６内に設けられ、電気配線や通水部材を介して吐水装置５１０と接続される。
【０１５９】
支持部５１２は、水栓ユニット５０８と吐水装置５１０とを支持する。吐水装置５１０は、水栓ユニット５０８の吐水口５０８ａよりも後方に設けられる。また、吐水装置５１０は、支持部５１２に支持された状態において、吐水口６０２ａをカウンタ５０４の上面５０４ａよりも上方に配置する。
【０１６０】
この例において、支持部５１２は、シンク５０２の後方に設けられ、カウンタ５０４の上面５０４ａよりも僅かに凹んだ部分である。支持部５１２は、例えば、カウンタ５０４の上面５０４ａと略面一でもよい。換言すれば、水栓ユニット５０８と吐水装置５１０とを支持する支持部は、カウンタ５０４でもよい。また、この例においても、水栓ユニット５０８は、吐水装置５１０と別体に支持部５１２に支持される。水栓ユニット５０８は、吐水装置５１０と一体化させてもよい。また、この例においても、吐水装置５１０は、水栓ユニット５０８よりも小さい。吐水装置５１０の外形の前出寸法は、水栓ユニット５０８の外形の前出寸法よりも短い。
【０１６１】
図９に表したように、支持部５１２は、吐水装置５１０を可動可能に支持する。この例において、支持部５１２は、上下方向を軸に吐水装置を回動可能に支持する。これにより、例えば、使用に慣れた使用者が、吐水装置５１０の使用後に、使用し辛い位置に移動させておくことで、次に不慣れな使用者がシステムキッチン５００を使用する場合に、吐水装置５１０の使用を抑制することができる。
【０１６２】
例えば、吐水口６０２ａをシンク５０２の上方に配置した使用位置（図９において実線で示す位置）から、吐水口６０２ａを使用位置よりも後方に配置した非使用位置（図９において一点鎖線で示す位置）に移動させておく。これにより、不慣れな使用者が誤って吐水装置５１０を使用してしまうことを抑制することができる。例えば、水栓ユニット５０８の使用を促し、機能水の誤飲をより抑制することができる。
【０１６３】
また、支持部５１２は、シンク５０２に向けて機能水が吐出されるとともに、可動可能な範囲ＭＡのいずれの位置においても機能水がカウンタ５０４に届かないように吐水装置５１０を支持する。これにより、例えば、カウンタ５０４にコップなどを置いて機能水を溜めることを抑制し、機能水の誤飲をより抑制することができる。
【０１６４】
吐水装置５１０の移動は、回転に限ることなく、スライド移動などでもよい。支持部５１２の構成は、例えば、使用位置と非使用位置との間で吐水装置５１０を移動可能に支持できる任意の構成でよい。
【０１６５】
図１０（ａ）及び図１０（ｂ）は、第２の実施形態に係る吐水装置を表す斜視図及び底面図である。  
図１１は、第２の実施形態に係る吐水装置の一部を表す部分断面図である。  
図１１は、図１０（ｂ）のＣ１−Ｃ２線断面を表す。  
図１０（ａ）、図１０（ｂ）、及び図１１に表したように、吐水装置５１０は、装置本体６００と、吐水ユニット６０２と、操作部６０４と、表示部６０６と、光照射部６０８（報知部）と、電子ユニット６１０と、光照射ユニット６１２と、連結ユニット６１４と、を有する。
【０１６６】
装置本体６００は、略Ｌ字状に屈曲した丸棒状である。装置本体６００は、中空状のパイプであり、内部空間６００ｓを有する。装置本体６００は、この内部空間６００ｓに吐水装置５１０の各種の部材を収納する。
【０１６７】
装置本体６００は、例えば、第１管部６００ａと第２管部６００ｂとを有する。第１管部６００ａは、第１方向に延びる。第１方向は、例えば、上下方向である。第１管部６００ａは、支持部５１２に支持された状態において、上下方向に延びる。第２管部６００ｂは、第１管部６００ａの一端から第１方向と交差する第２方向に延びる。第２管部６００ｂは、例えば、第１管部６００ａの一端から水平方向に延びる。
【０１６８】
第１管部６００ａの第２管部６００ｂと反対側の端部には、支持部５１２に支持される被支持部６００ｃが設けられている。支持部５１２は、被支持部６００ｃを回動可能に支持する。支持部５１２は、例えば、第１管部６００ａを軸に吐水装置５１０を回転させる。
【０１６９】
吐水ユニット６０２は、装置本体６００の第２管部６００ｂの下部に設けられる。吐水ユニット６０２は、吐水口６０２ａを有する。吐水ユニット６０２は、給水装置１１０から供給された機能水を吐水口６０２ａからシンク５０２に吐出する。
【０１７０】
吐水ユニット６０２は、上記第１の実施形態の吐水ユニット２０２と同様に、機能水をミスト状にしてシンク５０２に噴霧する。この例においても、吐水装置５１０から吐出される機能水の流量は、水栓ユニット５０８から吐出される水の流量よりも少ない。また、吐水ユニット６０２は、中央部分ＣＰよりも外側部分ＥＰの方が粒子ＰＴの密度が低くなるように、ミスト状の機能水を噴霧する。
【０１７１】
第２管部６００ｂは、開口部６００ｄを有する。開口部６００ｄは、第２管部６００ｂの下部に設けられ、内部空間６００ｓの一部を下方に露呈させる。吐水ユニット６０２は、内部空間６００ｓ内に設けられ、開口部６００ｄを介して吐水口６０２ａを下方に露呈させる。
【０１７２】
操作部６０４は、第２管部６００ｂの第１管部６００ａと反対側の端部に設けられている。換言すれば、操作部６０４は、装置本体６００の先端６００ｔに設けられている。この例において、装置本体６００の先端６００ｔは、例えば、支持部５１２に支持される被支持部６００ｃから水平方向において最も離間した部分である。また、操作部６０４は、吐水口６０２ａよりも上方に設けられる。
【０１７３】
操作部６０４は、第２管部６００ｂの軸方向に沿って移動可能に先端６００ｔに取り付けられ、定常位置と、定常位置よりも第２管部６００ｂに近接した押圧位置と、に移動する。操作部６０４は、バネなどの弾性体により、定常位置に保持される。すなわち、操作部６０４は、使用者が押圧操作する押しボタンである。
【０１７４】
上記第１の実施形態と同様に、吐水装置５１０は、使用者による操作部６０４の操作に応じて、吐水ユニット６０２から機能水を吐出する。吐水装置５１０は、例えば、操作部６０４の操作に応じて吐水ユニット６０２から機能水を吐出させた後、一定時間の経過に応じて機能水の吐出を停止させる。また、吐水装置５１０は、自動吐水機能がオンに設定されている場合、定期的に吐水ユニット６０２から機能水を吐出させる。
【０１７５】
この例においても、吐水装置５１０の吐止水の操作は、水栓ユニット５０８の吐止水の操作と異なる。操作部６０４の形状及び操作態様は、使用者が操作可能な任意の形状及び操作態様でよい。
【０１７６】
表示部６０６は、操作部６０４の先端面６０４ａに設けられている。表示部６０６は、上記第１の実施形態の表示部２０６と同様に、使用者に対して吐水装置５１０の状態の表示を行う。表示部６０６は、例えば、光の点灯・消灯により、自動吐水機能のオン・オフを使用者に表示する。表示部６０６は、操作部６０４に限ることなく、装置本体６００に設けてもよい。表示部６０６の位置は、使用者から視認し易い任意の位置でよい。表示部６０６の表示の態様は、光の点灯・消灯に限ることなく、使用者への表示が可能な任意の態様でよい。
【０１７７】
光照射部６０８は、吐水ユニット６０２と並べて装置本体６００の第２管部６００ｂの下部に設けられている。光照射部６０８は、上記第１の実施形態の光照射部２０８と同様に、吐水ユニット６０２から機能水を吐水する際に点灯することにより、吐水が行われていることを使用者に報知する。
【０１７８】
電子ユニット６１０は、基板６３０と、検出器６３２と、発光素子６３４と、ケース６３６と、を有する。基板６３０は、実装面６３０ａを有する。検出器６３２及び発光素子６３４は、実装面６３０ａの上に実装されている。ケース６３６は、基板６３０と検出器６３２と発光素子６３４とを保持する。
【０１７９】
電子ユニット６１０は、装置本体６００の内部空間６００ｓ内に設けられる。装置本体６００は、電子ユニット６１０を先端６００ｔの近傍に配置し、実装面６３０ａを操作部６０４と対向させて保持する。換言すれば、装置本体６００は、検出器６３２及び発光素子６３４を操作部６０４と対向させる。
【０１８０】
検出器６３２は、吐水ユニット６０２の吐止水を制御するための使用者の操作を検出する。この例において、検出器６３２は、使用者による操作部６０４の押圧操作を検出する。使用者の押圧操作に応じて操作部６０４が定常位置から押圧位置に移動すると、操作部６０４の一部が検出器６３２に接触する。これにより、使用者による操作部６０４の押圧操作が、検出器６３２によって検出される。
【０１８１】
発光素子６３４は、操作部６０４に設けられた光透過窓６０４ｂと対向する。発光素子６３４は、光透過窓６０４ｂを介して装置本体６００の外部に光を照射する。これにより、発光素子６３４の点灯・消灯により、使用者に対して表示を行うことができる。すなわち、この例において、表示部６０６は、発光素子６３４と光透過窓６０４ｂとで構成される。
【０１８２】
検出器６３２及び発光素子６３４は、上記第１の実施形態に関して説明した電子ユニット６１０と同様に、電気配線（図示は省略）を介して給水装置１１０と電気的に接続される。検出器６３２は、使用者の操作を検出すると、操作信号を給水装置１１０に送信する。発光素子６３４は、給水装置１１０からの電力供給に応じて点灯し、給水装置１１０の電力供給の停止に応じて消灯する。
【０１８３】
光照射ユニット６１２は、上記第１の実施形態に関して説明した光照射ユニット２１２と同様である。光照射ユニット６１２は、装置本体６００の内部空間６００ｓ内に保持され、開口部６００ｅを介して下方に向けて光を照射する。この例においては、光照射ユニット６１２によって光照射部６０８が構成される。光照射ユニット６１２は、図示を省略した電気配線を介して給水装置１１０に接続され、給水装置１１０からの電力供給に応じて光を照射し、給水装置１１０の電力供給の停止に応じて光の照射を停止する。
【０１８４】
連結ユニット６１４は、装置本体６００の内部空間６００ｓ内に設けられる。連結ユニット６１４は、吐水ユニット６０２に接続される第１接続部６１４ａと、通水部材６４０に接続される第２接続部６１４ｂと、を有する。第１接続部６１４ａは、上記第１の実施形態に関して説明したように、例えば、ネジを螺合させることにより、吐水ユニット６０２を装置本体６００の外側から着脱可能に保持する。
【０１８５】
通水部材６４０は、給水装置１１０に接続される。連結ユニット６１４は、第１接続部６１４ａと第２接続部６１４ｂとを接続する流路（図示は省略）を有し、通水部材６４０を介して給水装置１１０から供給された機能水を吐水ユニット６０２に送る。これにより、給水装置１１０から供給された機能水が、吐水ユニット６０２の吐水口６０２ａから吐出される。
【０１８６】
この例においても、吐水ユニット６０２は、装置本体６００の操作部６０４よりも奥側に配置される。図９に表したように、吐水口６０２ａは、装置本体６００の先端６００ｔに向かう方向において、装置本体６００と重なる。吐水口６０２ａは、先端６００ｔ側から水平に見た時に、装置本体６００と重なる。
【０１８７】
装置本体６００は、内部空間６００ｓ内に吐水ユニット６０２を収容することにより、先端６００ｔ側において、吐水口６０２ａを覆う。
【０１８８】
この例において、装置本体６００は、吐水ユニット６０２の全体を内部空間６００ｓ内に収容している。従って、この例では、先端６００ｔに向かう方向において、吐水口６０２ａの全体が、装置本体６００と重なる。上記第１の実施形態に関して説明したように、吐水口６０２ａの少なくとも一部は、装置本体６００と重ならなくてもよい。吐水ユニット６０２の一部は、開口部６００ｄよりも下方に突出していてもよい。
【０１８９】
このように、吐水ユニット６０２の少なくと一部を収容可能な空間は、装置本体６００の中空状の内部空間６００ｓでもよいし、上記第１の実施形態に関して説明したように、装置本体（ケーシング）の外面に設けられた凹部でもよい。
【０１９０】
このように、本実施形態に係る吐水装置５１０においても、棒状やシャワー状などの通常の吐水と異なるミスト状にして機能水を噴霧することにより、機能水の吐水であることを使用者に認識させることができる。例えば、通常吐水に比べて、より広い範囲に機能水を散布することもできる。さらに、中央部分ＣＰよりも外側部分ＥＰの方が粒子の密度が低くなるように、ミスト状の機能水を噴霧することにより、使用者の手などに機能水がかかってしまうことを抑制することができる。例えば、あまり濡れないうちに手を引っ込めることが可能になる。従って、機能水の吐出を容易に識別できるようにしつつ、使用者の操作に応じて機能水を吐出する場合にも、使用者の手などに機能水がかかってしまうことを抑制することができる。
【０１９１】
以上、本発明の実施の形態について説明した。しかし、本発明はこれらの記述に限定されるものではない。前述の実施の形態に関して、当業者が適宜設計変更を加えたものも、本発明の特徴を備えている限り、本発明の範囲に包含される。例えば、吐水システム１０、吐水装置１００、５１０、及びシステムキッチン５００などが備える各要素の形状、寸法、材質、配置などは、例示したものに限定されるわけではなく適宜変更することができる。  
また、前述した各実施の形態が備える各要素は、技術的に可能な限りにおいて組み合わせることができ、これらを組み合わせたものも本発明の特徴を含む限り本発明の範囲に包含される。
【符号の説明】
【０１９２】
２ 洗面化粧台、  １０ 吐水システム、  １２ パネル部、  １２ａ 取付面、  １２ｆ 取付パネル、  １４、５０８ 水栓ユニット、  １４ａ 吐水口、  １６ 水栓操作部、  ２０ 洗面器、  ２２ 洗面ボウル、  ２４ 排水口、  ２６ オーバーフロー排水具、  ３０ 支持台、  ３１ 本体部、  ３２、３３ 扉、  １００、５１０ 吐水装置、  １１０ 給水装置、  ２００ ケーシング、  ２００ａ 前面、  ２００ｂ 上面、  ２００ｃ 底面、  ２００ｄ、２００ｅ 側面、  ２００ｓ 内部空間、  ２０２、６０２ 吐水ユニット、  ２０２ａ、６０２ａ 吐水口、  ２０２ｃ 流入口、  ２０２ｄ 直進流供給流路、  ２０２ｅ 旋回流供給流路、  ２０２ｆ フランジ部、  ２０２ｈ 本体部、  ２０４、６０４ 操作部、  ２０６、６０６ 表示部、  ２０８、６０８ 光照射部、  ２１０、６１０ 電子ユニット、  ２１２、６１２ 光照射ユニット、  ２１２ｓ 発光素子、  ２１４、６１４ 連結ユニット、  ２１６ シール部材、  ２２０ ベース、  ２２０ａ 板状部、  ２２０ｂ 筒状部、  ２２０ｃ 開口部、  ２２２ カバー、  ２２４ 表面シート、  ２３０、６３０ 基板、  ２３０ａ、６３０ａ 実装面、  ２３２、６３２ 検出器、  ２３４、６３４ 発光素子、  ２３６、６３６ ケース、  ２３８ 電気配線、  ２４０、６４０ 通水部材、  ２４２ クリップ、  ２４４ シール部材、  ３００ ストレーナ、  ３０２ 電磁弁、  ３０４ 調圧弁、  ３０６ 逆止弁、  ３０８ リリーフ弁、  ３１０ 漏水検知部、  ３１２ 機能水生成部、  ３１４ フィルタ、  ３２０ 制御部、  ３３０ 配管、  ３３２ ストレーナ、  ３３４ 止水栓、  ５００ システムキッチン、  ５０２ シンク、  ５０４ カウンタ、  ５０６ 支持台、  ５１２ 支持部、  ６００ 装置本体、  ＣＡ 中心軸、  ＣＰ 中央部分、  ＥＰ 外側部分、  ＰＳ 電力源、  ＰＴ 粒子、  ＷＳ 給水源
【図１】
0006697670.tif 000002
【図２】
0006697670.tif 000003
【図３】
0006697670.tif 000004
【図４】
0006697670.tif 000005
【図５】
0006697670.tif 000006
【図６】
0006697670.tif 000007
【図７】
0006697670.tif 000008
【図８】
0006697670.tif 000009
【図９】
0006697670.tif 000010
【図１０】
0006697670.tif 000011
【図１１】
0006697670.tif 000012